Podtech/llm-jp-corpus-v4-ja_patent huggingface dataset:
(57)【要約】【課題】  光記録媒体に記録されたタイトルを表示できる録画装置を提供する。【解決手段】  光記録媒体の取出ボタンが押されると、光記録媒体へ記録された動画のタイトルが表示された画面を記憶し、該画面を表示したまま、前記光記録媒体を取り出すことを特徴とする。以上の如く構成されているので、光記録媒体を録画装置から取り出した後も、タイトルがTVの画面に表示されているので、画面を見ながら光記録媒体にタイトルを記載することができる。【選択図】図１
2015149641.tif 000002
【特許請求の範囲】
【請求項１】
光記録媒体へ記録可能な録画装置であって、
前記光記録媒体へ記録されたコンテンツのタイトルが記憶される記憶手段と、
該記憶手段に記憶された前記タイトルを画面に表示する表示手段と、
該表示手段に前記タイトルを表示した状態を維持したまま、前記光記録媒体を取り出すことが可能なタイトル画面制御手段と
を備えたことを特徴とする録画装置。
【請求項２】
所定のボタンが押されると、光記録媒体へ記録された動画のタイトルが表示された画面を記憶し、該画面を表示したままの状態を維持することを特徴とするダビングタイトル表示方法。
【請求項３】
光記録媒体の取出ボタンが押されると、光記録媒体へ記録された動画のタイトルが表示された画面を記憶し、該画面を表示したまま、前記光記録媒体を取り出すことを特徴とするダビングタイトル表示方法。
【発明の詳細な説明】
【技術分野】
【０００１】
本発明は、ブルーレイディスク等の光記憶媒体に動画をダビングする場合、或いは光記録媒体に直接記録する録画装置に関するものである。
【背景技術】
【０００２】
ブルーレイレコーダー等の録画装置でハードディスクに録画し、その後、ブルーレイディスク等の光記録媒体にダビングすることがある。或いは光記録媒体に直接記録する場合もある。
一方、ダビングされた動画のタイトルなどは、管理の簡便さから光記録媒体の表面に記載されるのが通常である。
【先行技術文献】
【特許文献】
【０００３】
【特許文献１】特開2013-128310公報
【発明の概要】
【発明が解決しようとする課題】
【０００４】
しかしながら、光記録媒体を録画装置から取り出すと録画された動画のタイトルを表示できない、或いは当該タイトルが表示された画面から他の画面に変えないと光記録媒体を取り出せないという課題があった。
【０００５】
本発明はこのような状況に鑑みてなされたものであり、上記課題を解決できる録画装置を提供することを目的とする。
【課題を解決するための手段】
【０００６】
請求項１記載の発明の要旨は、光記録媒体へ記録可能な録画装置であって、
前記光記録媒体へ記録されたコンテンツのタイトルが記憶される記憶手段と、
該記憶手段に記憶された前記タイトルを画面に表示する表示手段と、
該表示手段に前記タイトルを表示した状態を維持したまま、前記光記録媒体を取り出すことが可能なタイトル画面制御手段と
を備えたことを特徴とする録画装置に存する。
請求項２記載の発明の要旨は、
所定のボタンが押されると、光記録媒体へ記録された動画のタイトルが表示された画面を記憶し、該画面を表示したままの状態を維持することを特徴とするダビングタイトル表示方法に存する。
請求項３記載の発明の要旨は、光記録媒体の取出ボタンが押されると、光記録媒体へ記録された動画のタイトルが表示された画面を記憶し、該画面を表示したまま、前記光記録媒体を取り出すことを特徴とするダビングタイトル表示方法に存する。
【発明の効果】
【０００７】
本発明によれば、光記録媒体を取り出しても録画されたタイトルは表示されたままである。よって、操作者は、録画されたタイトルを記憶しなくても、或いはメモなどをしなくて良くなる。
【図面の簡単な説明】
【０００８】
【図１】本発明の実施の形態に係るシステム図である。
【図２】図１に示すTVの正面図である。
【発明を実施するための形態】
【０００９】
以下、本発明の実施の形態について図面を参照して説明する。
【００１０】
本実施の形態に係る録画装置は、ハードディスクと光記録媒体のディスクドライブとを備え、従来技術である送受信装置とを有する所謂ブルーレイレコーダーである。ハードディスクから光記録媒体へダビング可能となっている。なお、光記録媒体は、ブルーレイディスク、DVD、CDである。
図1に示すように、録画装置は、さらに記憶手段１と、表示手段２と、画面制御手段３とを備えている。これらの機能、処理は、１つのMPUの中に組み込まれている。
記憶手段１は、光記録媒体へ記録されたコンテンツのタイトルを記憶する。メモリ、キャッシュ、ハードディスク等、記憶可能な物であればよい。コンテンツは、映画、画像、音楽など記録可能なもの全てをである。光記録媒体への記録は、ハードディスクからのダビングや、直接記録も含む。
表示手段２は、記憶手段１に記憶されたタイトルをTVの画面に表示する。
画面制御手段３は、表示手段２にタイトルを表示した状態を維持したまま、光記録媒体を取り出すことが可能とし、光記録媒体を取り出した後も、なお、タイトルがTVに表示された状態を維持する。当該状態を図2に示す。
次に動作について説明する。
光記録媒体の取出ボタンが押されると、光記録媒体へ記録された動画のタイトルが表示された画面が記憶手段１に記憶される。
次いで、記憶された画面の情報が表示手段２に送信される。
次いで、表示手段２から記憶された画面の情報が画面制御手段３に送信される。
次いで、画面制御手段３からTVに画面の情報が送信され、TVは当該画面を表示したままにする。
次いで、光記録媒体が録画装置から取り出される。
以上の如く構成されているので、光記録媒体を録画装置から取り出した後も、タイトルがTVの画面に表示されているので、画面を見ながら光記録媒体にタイトルを記載することができる。
なお、表示手段２からタイトルの情報を画面制御手段３が受け取り、TVに表示させる事も可能である。
また、所定のボタンが押されると、光記録媒体へ記録された動画のタイトルが表示された画面を記憶し、該画面を表示したままの状態を維持することも可能である。所定のボタンとは、名称はなんでもよい。押されると、押された瞬間の画面が維持される機能を有するボタンである。その後、取出ボタンが押されると、光記憶媒体が取り出される。
【産業上の利用可能性】
【００１１】
本発明は、ハードディスクへの録画と光記録媒体へのダビングとが可能な録画装置の全てに適用可能である。
【符号の説明】
【００１２】
R  録画装置
１  記憶手段
２  表示手段
３  画面制御手段
【図１】
2015149641.tif 000003
【図２】
2015149641.tif 000004
(57)【要約】【課題】プロンプター装置の原稿表示用ディスプレイの画像は、ハーフミラーで反射すると、画像が左右反転になってしまうため、ディスプレイに表示する文字を専用ソフトなどを使用し左右反転する必要がある。また、左右反転が可能な専用ソフトは、ソフトの機能により、文字の表示方法などが制限される。【解決手段】原稿表示用ディスプレイとハーフミラーの間に表面鏡を設置することにより、表面鏡で反転した画像がハーフミラーでさらに反転するため、原稿表示用ディスプレイはソフトなどで左右反転する必要がなくなる。その為、原稿作成ソフトは制限されることなく、一般的な文章作成ソフトやプレゼンテーションソフトなどが使用できる。【選択図】図１
2015149629.tif 000002
【特許請求の範囲】
【請求項１】
原稿表示用ディスプレイとハーフミラーの間に表面鏡を設置した状態のプロンプター装置。
【発明の詳細な説明】
【技術分野】
【０００１】
本発明は、ビデオ撮影用プロンプター装置の原稿表示用ディスプレイの表示方法に関する。
【背景技術】
【０００２】
プロンプター装置は、ビデオ撮影時にアナウンサーなどが、ビデオカメラの前に設置されたハーフミラーに原稿画像を表示し、レンズから目線を外すことなく、原稿を読むことが出来る装置である。
【０００３】
プロンプター装置は、液晶ディスプレイなど原稿表示装置とハーフミラーで構成されており、アナウンサーはハーフミラーに反射した原稿を見ることが出来る。また、ビデオカメラ側からは、原稿が見えることなくアナウンサーを撮影することが出来る。
【発明の概要】
【発明が解決しようとする課題】
【０００４】
原稿表示用ディスプレイの画像は、ハーフミラーに反射すると、画像が左右反転になってしまうため、ディスプレイに表示する文字は、左右反転機能のついた文章作成ソフトなどを使用して左右反転する必要がある。
【０００５】
左右反転機能のついた文章作成ソフトは特殊な専用ソフトになり、ソフトの機能により文字の表示方法などが制限される。
【課題を解決するための手段】
【０００６】
本発明は、原稿表示用ディスプレイとハーフミラーの間に表面鏡を設置することにより、表面鏡で反転した画像がハーフミラーでさらに反転するため、原稿表示用ディスプレイはソフトなどで左右反転する必要がなくなる。
【発明の効果】
【０００７】
原稿表示用ディスプレイの画像は左右反転する必要がないため、原稿作成ソフトは制限されることなく、一般的な文章作成ソフトやプレゼンテーションソフトなどが使用できる。
【図面の簡単な説明】
【０００８】
【図１】プロンプター装置にビデオカメラを取付けた状態の側面図である。
【発明を実施するための形態】
【０００９】
以下に本発明を実施するための最良の形態を図面に従って詳細に説明する。図１のビデオカメラ６は設置参考図であり、プロンプター装置本体には含まないものである。
【００１０】
原稿画像はハーフミラー３に反射して被写体４から見ることが出来る。また、ビデオカメラ６から被写体４を撮影する場合ハーフミラー３の原稿画像はビデオカメラ６に映ることはない。
【００１１】
原稿表示用ディスプレイ１の画像は、表面鏡２で反射し、ハーフミラー３でさらに反射して被写体４から見ることが出来る。
【００１２】
図１の一点鎖線は、光の反射のようすを表した状態である。
【００１３】
図１の遮光布５はハーフミラーに余計な光が映りこまないようにするための暗幕である。
【実施例】
【００１４】
タブレット型ディスプレイを図１の１に設置することにより、プロンプター装置の原稿表示用ディスプレイとして使用が可能である。
【符号の説明】
【００１５】
１  原稿表示用ディスプレイ
２  表面鏡
３  ハーフミラー
４  被写体
５  遮光布
６  ビデオカメラ
７  三脚取付金具
【図１】
2015149629.tif 000003
(57)【要約】      （修正有）【課題】熱エネルギーの一部を力学的回転エネルギーに変換して利用し、残りの熱エネルギーを他の加熱物の熱源として利用できることを特徴とする回転機能を備えた焜炉を提供する。【解決手段】磁石２を支持体７に固定し、感温磁性材料のリング１を適度な間隔で連ねた円筒状のローターを、回転軸２で支持して磁場中を通し、ローターの内側あるいは外側にローターを加熱するためのバーナー３を配置した、回転機能を備えた焜炉。【選択図】図１
2015139361.tif 000002
【特許請求の範囲】
【請求項１】
磁石を支持体に固定し、感温磁性材料のリングを適度な間隔で連ねた円筒状のローターを、回転軸で支持して磁場中を通し、ローターの内側あるいは外側にローターを加熱するためのバーナーを配置したことを特徴とする回転機能を備えた焜炉。
【発明の詳細な説明】
【技術分野】
【０００１】  本発明は、感温磁性材料の熱磁気特性を応用して熱エネルギーの一部を力学的回転エネルギーに変換して利用し、残りの熱エネルギーを他の加熱物の熱源として利用できることを特徴とする回転機能を備えた焜炉に関するものである。
【背景技術】
【０００２】  従来、感温磁性材料の熱磁気特性を応用した熱磁気モーターや熱磁気エンジンが発明されているが、一般の流体の加熱では大きな出力を得ることが困難であり、優れた発明でありながらも一般的には普及していない。【０００３】  また、ガスの燃焼熱による発電機が発明されているが、磁石が加熱される短所があった。
【先行技術文献】
【特許文献】
【０００４】
【特許文献１】特開平６−１４１５７２（磁性体エンジン）
【特許文献２】特開平９−２６８９６８（熱磁気エンジン）
【特許文献３】特開２０１３−１９８３９０（カセット式ガス燃焼熱発電機）
【発明の概要】
【発明が解決しようとする課題】
【０００５】  本発明は、現在生産されている素材を用いても実用的な出力が得ることができ、産業上も利用可能な製品作りを進め、感温磁性材料の開発と普及を進める目的からなされたものである。
【課題を解決するための手段】
【０００６】  磁石を支持体に固定し、感温磁性材料のリングを適度な間隔で連ねた円筒状のローターを、回転軸で支持して磁場中を通し、ローターの内側あるいは外側にローターを加熱するためのバーナーを配置したことを特徴とする回転機能を備えた焜炉を提供する。
【発明の効果】
【０００７】  現在生産されている感温磁性材料を用いた場合、高温液体等では感温磁性材料のリングの肉厚を１ｍｍ以上とすることが困難であって大きな出力を得ることができていないが、ガスや石油等を燃料としたバーナーの燃焼温度は非常に高いので、リングの肉厚が厚くても瞬時に加熱でき、現用の素材を用いても実用的な回転エネルギーを得ることができる。【０００８】  ローターの回転運動を外部に伝達して、様々な目的に使用することができる。【０００９】  例えば発電機を廻して発電することもできる。【００１０】  バーナーから与えられた熱エネルギーが力学的回転エネルギーに変換されるのは一部であるが、本発明は残りの熱エネルギーを他の加熱物の熱源として利用できる焜炉であり、バーナーの燃焼炎で磁石が加熱されることがないので安全である。
【図面の簡単な説明】
【００１１】
【図１】焜炉の実施例の一部断面正面図である。
【図２】焜炉の実施例のローター部の側面図である。
【図３】焜炉の実施例の応用例である。
【図４】焜炉の他の実施例の一部断面正面図である。
【発明を実施するための形態】
【００１２】  磁石を固定局とし、感温磁性材料のリングを適度な間隔で連ねた円筒状のローターを移動局として、回転機構をもって支持し、ローターの内側あるいは外側にバーナーを配置して構成できる。
【実施例１】
【００１３】  図１は焜炉の実施例の一部断面正面図で、磁石２をローターの内側と外側の両面に対面配置して、強い磁場を形成し、バーナー３をローターの外側に配置し、ローターを液体等の流体で冷却できる容器１１をローターの底部に設けた実施例である。【００１４】  感温磁性材料のリング１の肉厚や径および磁気特性によっては自然冷却で十分なこともあるが、本実施例の様に容器１１に液体等を入れて、加熱後のローターを冷却した方が強い回転エネルギーを安定的に得ることができる。【００１５】  磁石２を用いたシステムにおいて、磁石２の温度上昇を抑えることは重要であり、本実施例ではバーナー３が磁石２の上側に配置されているので、燃焼炎で磁石２が加熱されることはなく、容器１１内の冷却物質で磁石２を冷却することもできる。【００１６】  冷却物質が液体である場合、不織布や毛管の毛細管現象を利用して磁石２を冷却することもできる。【００１７】  図２はローター部の側面図であり、本実施例は感温磁性材料のリング１をリング連結板１６に溶接して連ねたものであるが、実施においては感温磁性材料で一体成形することもでき、バーナー３がローターの外側に配置されている場合は、ローターの外周に適度な幅と深さの溝が入ったローターを用いることもできる。【００１８】  図３は焜炉の実施例の応用例であり、燃焼口の方向を変えたり、燃焼口を差し換えたりすると通常の焜炉として使用できることを図示したものである。
【実施例２】
【００１９】  図４は、焜炉の他の実施例の一部断面正面図で、バーナー３をローターの内側に配置したものである。【００２０】  ローターは、感温磁性材料のリング１を適度な間隔で連ねてあるので、バーナー３の燃焼炎は隙間を通って上昇して、効率良くローターを加熱でき、さらに余熱も利用しやすいものである。
【産業上の利用可能性】
【００２１】  ガス焜炉や石油焜炉として日常使用でき、災害時やレジャー等で発電機としても利用できる。【００２２】  燃料にカセットボンベ等を使用すると、小型なガス焜炉や石油焜炉として利用できる。【００２３】  焜炉だけではなく、ローターの回転でファンを廻して、ファンヒーター等の暖房器具とすることもできる。
【符号の説明】
【００２４】  １…感温磁性材料のリング
２…磁石
３…バーナー
４…回転軸
５…軸受
６…断熱物
７…磁石固定板
８…断熱板
９…加熱物
１０…支持体
１１…容器
１２…液体
１３…加熱物乗台
１４…回転補助軸
１５…ローター取付板
１６…リング連結板
【図１】
2015139361.tif 000003
【図２】
2015139361.tif 000004
【図３】
2015139361.tif 000005
【図４】
2015139361.tif 000006
(57)【要約】【課題】炭を使って火を熾すのには時間がかかり、着火剤などを併用してもすぐには火は熾しにくい。また火を熾したあとも、新たに炭を追加した場合、すぐには火が着かず火力が上がるまでに時間がかかる。  本発明は短時間で火を熾すための送風パイプ付きバーベキューコンロを提供する。【手段】パイプ状のバーベキューコンロの足に、空気入れ等をつなげることのできるバルブを設け、バーベキューコンロ内に向かって空気を吹き出し、炭の着火、燃焼を促進させる。【選択図】図３
2015139687.tif 000002
【特許請求の範囲】
【請求項１】
パイプ状のバーベキューコンロの足（１）に空気入れ等をつなげるバルブ（２）を設け、コンロ本体側の、コンロの足を挿入する部分（３）に、空気吹き出し口（４）を設けた送風用パイプ付きバーベキューコンロ。
【発明の詳細な説明】
【技術分野】
【０００１】  本発明は，バーベキューコンロで炭火を容易に起こすための送風用のパイプであり、炭火を熾す際にかかる労力を軽減し、火を熾す時間を大幅に短縮するものである。
【技術背景】
【０００２】  炭火をおこすには着火剤などを用いても、なかなか火が起きにくく時間のかかる作業だった。また、火を熾したあとも炭を追加した場合、すぐには火がつかず、火力が上がるまで時間がかかった。
【先行技術文献】
【０００３】
【特許文献１】特開  ２０１１−６９５９５
【特許文献２】特開  ２００４−９７７６２
【発明の概要】
【発明が解決しようとする課題】
【０００４】  従来、火を熾すには次のような欠点があった。
（イ）炭火を熾すのに時間がかかる。
（ロ）楽に火を熾すには着火剤などを別に購入しなければならず、余分なコストがかかる。
（ハ）炭を追加すると、追加した炭に火がつくまでは、火力が一時的に下がる。
本発明は、以上の問題点を解決するために発明されたものである。
【課題を解決するための手段】
【０００５】  パイプ状のバーベキューコンロの足（１）に空気入れ等をつなげるバルブ（２）を設ける。
バーベキューコンロ本体側のコンロの足を挿入する部分を（３）とし、空気吹き出し口（４）を設ける。
以上の構成からなる送風用パイプ。
【発明の効果】
【０００６】  本発明を使用することによって、各家庭にある自転車の空気入れや、浮き輪のエアポンプなどで空気を送り、効率的に火を熾すことができる。
また、バーベキューコンロ自体に送風パイプの機能を組み込む事で、組立や片付けは従来通りであり、装置自体の紛失も防げる。
【図面の簡単な説明】
【０００７】
【図１】本発明の送風用パイプの斜視図
【図２】本発明の送風用パイプの使用状態を示す斜視図
【図３】本発明の断面図
【発明を実施するための形態】
【０００８】  以下、本発明の実施の形態を説明する。
（イ）バーベキューコンロの足（１）に空気入れ等をつなげることのできるバルブ（２）を設け、コンロ本体の足を挿入する部分を（３）とする。また空気吹き出し口（４）はバーベキューコンロ内に向かって設置されている。
（ロ）空気入れ等をつなげることができるバルブ（２）に空気入れ（５）をつなぎ空気を送る。
（ニ）送られた空気は、パイプ状のバーベキューコンロの足（１）の内部を通り、バーベキューコンロの足を挿入する部分（３）の空気吹き出し口（４）より、バーベキューコンロ内部に送り出され、炭の着火、燃焼を促進させる。
【符号の説明】
【０００９】１  バーベキューコンロの足
２  空気入れをつなぐバルブ
３  バーベキューコンロの足を挿入する部分
４  空気吹き出し口
５  空気入れ
６  炭
【図１】
2015139687.tif 000003
【図２】
2015139687.tif 000004
【図３】
2015139687.tif 000005
(57)【要約】      （修正有）【課題】釣り道具の入ったバッグを運搬歩行時における、落水事故の安全を確保するため、又、それぞれ単体物の落水、紛失を防ぐために、各単体物に浮力を持つ素材を用い、ライフジャケットを連結する浮力付きつりバッグを提供する。【解決手段】仕切り棚２、釣り具いれをバッグ１に収納し、ライフジャケットを連結した。【選択図】図１
2015139686.tif 000002
【特許請求の範囲】
【請求項１】
それぞれ浮力のついた、仕切り棚（２）、釣り具いれ（３）をバッグ（１）に収納されたものにライフジャケット（４）を連結した、浮力付きつりバッグ。
【発明の詳細な説明】
【技術の分野】
【０００１】  本発明は、釣り道具入れ、バッグ、ライフジャケットを一体化した浮力付き釣りバッグに関するものである。
【背景技術】
【０００２】従来、釣り道具入れ、バッグ、ライフジャケットは別々になっていた。
【先行技術文献】
【特許文献】
【０００３】
【特許文献１】  特開２００６−１７５０７１号公報
【発明の概要】
【発明が解決しようとする課題】
【０００４】  これは次のような欠点があった。
（イ）従来、バッグ（１）、仕切り棚（２）、釣り具いれ（３）、ライフジャケット（４）、（１）〜（４）これらが単体としてあった。
（ロ）（１）〜（４）それぞれ運搬歩行する際に危険であり、場合によっては生死に関する事があった。
本発明は以上のような欠点を無くすためになされたものである。
【課題を解決するための手段】
【０００５】バッグ（１）、仕切り棚（２）、釣り具いれ（３）、ライフジャケット（４）、それぞれに浮力のついた素材を用い、釣り具の整理整頓をしやすい仕様を用いる。釣りバッグとライフジャケットを連結器具を用いて連結する。
本発明は、以上の構成よりなる浮力付きつりバッグである。
【発明の効果】
【０００６】（イ）バッグ（１）、仕切り棚（２）、釣り具いれ（３）、ライフジャケット（４）それぞれが一体になっているので、落水した時に必要な浮力が得られ、人命救護の効果がある。
（ロ）それぞれ単体で落水しても、その浮力により沈下、紛失を防ぐ事が出来る。
（ハ）ライフジャケット（４）が脱着出来る機能を使用する事により、バッグ（１）、仕切り棚（２）、釣り具いれ（３）それぞれの使用が問題なく、何らさしつかえなく行える。
【図面の簡単な説明】
【０００７】
【図１】  本発明の分解斜視図である。
【図２】  本発明の斜視図である。
【発明の実施をするための形態】
【０００８】以下、発明の実施をするための形態について説明する。
仕切り棚（２）、釣り具いれ（３）をバッグ（１）に収納する。
ライフジャケット（４）を仕切り棚（２）、釣り具いれ（３）が収まったバッグ（１）に連結する。
本発明は以上のような構造である。
本発明を使用する時は、ライフジャケット（４）と、仕切り棚（２）、釣り具いれ（３）が収まったバッグ（１）で、安全に歩行し、落水時にはその浮力による溺死、水難事故や、物品の沈下、紛失を防げばよい。
それぞれの機能を連結器具による脱着により、使用すればさしつかえはない。
【符号の説明】
【０００９】  １  バッグ
２  仕切り棚
３  釣り具いれ
４  ライフジャケット
【図１】
2015139686.tif 000003
【手続補正書】
【提出日】平成26年3月26日(2014.3.26)
【手続補正１】
【補正対象書類名】明細書
【補正対象項目名】０００７
【補正方法】変更
【補正の内容】
【０００７】
【図１】  本発明の分解斜視図である。
(57)【要約】      （修正有）【課題】カラーボードやパネルを、格子状の障子戸や格子状のガラス戸に簡易に装着ができて取り外すことができる両面テープ付きの格子戸用ボード・パネル等取り付け具であり、取り付け具をカラーボードやパネル等に接着することで一体化し、自由に移動配置できるし、大きめのボード等を装着すれば、寒さよけになる両面テープ付きの格子戸用ボード・パネル等取り付け具を提供する。【解決手段】格子戸用ボード・パネル等取り付け具は両面テープがついており、カラーボードやパネルなどを接着できる。そして、格子戸用ボード・パネル等取り付け具を接着したカラーボードやパネル等を、格子戸の桟にはさみこむようにして装着することができる。【選択図】図２
2015151852.tif 000002
【特許請求の範囲】
【請求項１】
格子戸用ボード・パネル等取り付け具は、表側にカラーボードやパネルの接着用両面テープを設け、裏側には、挟み込めるように、かに挟み状のものを設けてある格子戸用ボード・パネル等取り付け具。
【発明の詳細な説明】
【技術分野】
【０００１】本発明は、格子戸に装着させる、格子戸用ボード・パネル等取り付け具に関するものである。
【背景技術】
【０００２】  従来、一般にカラーボードやパネル類は、家の中の柱や壁面にカラーボードやパネルをピンで止めたりして、簡易なメモボードや情報ボードがわりに使用するのが目的であったりする。
【先行技術文献】
【特許文献】
【０００３】
【発明の概要】
【発明が解決しようとする課題】
【０００４】  一般にカラーボードやパネルを使って使用する方法としては、家の中の柱や壁面にカラーボードやパネルをピンで止めたりして、簡易なメモボードや情報ボードがわりとして使用するのが目的であったりする。しかし、格子状の障子戸やガラス戸に付けることは困難である。
もし、格子状の障子戸や  格子状のガラス戸に簡易に装着ができて、取り外すことができる両面テープ付きの格子戸用ボード・パネル等取り付け具があれば、取り付け具をカラーボードやパネルに接着することで、自由に移動配置することができるし、また、大きめのボードやパネルを設置することで、メモボードや情報ボードとしての目的だけでなく、寒さを防ぐためにも役立つものとなる。
本発明は、以上の問題点を解決するものである。
【課題を解決するための手段】
【０００５】  格子戸用ボード・パネル等取り付け具は、表側に両面テープがついており、カラーボードやパネルなどを接着できる。
格子戸用ボード・パネル等取り付け具の裏側には、格子戸の桟に装着できるよう、ものを挟み込めるように、かに挟み状のものを設けてある。
そして、格子戸用ボード・パネル等取り付け具に接着したカラーボードやパネル等を、格子戸の桟にはさみこむようにして格子戸に装着することができたり取り外したりできる。
以上の構成よりなる、格子戸用ボード・パネル等取り付け具。
【発明の効果】
【０００６】  従来、格子戸にカラーボードやパネル等を簡易に取り付けたり、取り外したりすることはできなかった。
本発明は、格子状の障子戸や格子状のガラス戸に、カラーボードやパネル等を簡易に装着ができて、取り外すことができる。
格子戸用ボード・パネル等取り付け具には、両面テープかついており、カラーボードやパネルなどを接着させ、一体化することができる。
そして、格子戸用ボード・パネル等取り付け具は、格子戸の桟にはさみこむようにして装着することができるようになっており、簡易に装着し、取り外しができるものである。
これにより、家の中の柱や壁面以外に、格子戸にも、格子戸用ボード・パネル等取り付け具と一体化したカラーボードやパネル等を装着できるようになり、メモボードや情報ボードとして利用できるし、大きめのボードやパネルを取り付ければ、寒さよけのためにもなるものである。
【図面の簡単な説明】
【０００７】
【図１】本発明の使用状態を示す平面図である。
【図２】本発明の使用状態を示す断面図である。
【図３】本発明の使用状態を示す平面図である。
【図４】本発明の使用状態を示す断面図である。
【図５】本発明の断面図である。
【発明を実施するための形態】
【０００８】  以下、本発明の実施の形態を説明する。
（イ）格子戸用ボード・パネル等取り付け具（１）の表側に、両面テープ（４）を接着さ      せてある。（図５）
（ロ）格子戸用ボード・パネル等取り付け具（１）は、表面にカラーボードやパネル等（      ２）の軽めのものを、両面テープ（４）により接着させることができるものである      。
（ハ）格子戸用ボード・パネル等取り付け具（１）の裏側には、格子戸（３）の桟に装着      できるよう、ものを挟み込めるように、かに挟み状のものを設けてある。（図５）
本発明は以上のような構造である。
本発明を使用するときは、格子戸用ボード・パネル等取り付け具（１）を格子戸（３）の桟に挟み込むようにして装着する。（図４）
４ケ所、格子戸用ボード・パネル等取り付け具（１）を装着する場合では、カラーボードやパネル等（２）を接着した時に、より安定感を増す。（図３）
格子戸の桟に装着した格子戸用ボード・パネル等取り付け具（１）の表側の両面テープ（４）をはがし、カラーボードやパネル等（２）の軽めのものを接着させる（図２）
これにより、格子戸用ボード・パネル等取り付け具（１）とカラーボードやパネル等（２）が一体化し、格子戸（３）の桟に装着したり取り外したり、移動させたりすることが簡易にできるようになる。（図１）
そうすることにより、自由にレイアウトができるし、大きめのカラーボードやパネル等（２）を装着すれば、寒さよけにもなる。
【符号の説明】
【０００９】１  格子戸用ボード・パネル等取り付け具、２  カラーボード・パネル等、３  格子戸、４  両面テープ
【図１】
2015151852.tif 000003
【図２】
2015151852.tif 000004
【図３】
2015151852.tif 000005
【図４】
2015151852.tif 000006
【図５】
2015151852.tif 000007
(57)【要約】      （修正有）【課題】両面テープの剥離紙を容易に剥がす。【解決手段】両面テープの剥離紙剥がし器であって、当該、剥離紙剥がし器は三角形で底辺が真平らな、平板１に三角形の各先端をそれぞれ下方に直角、又は鋭角に折り曲げた突起部２ａ．２ｂ．２ｃを突出量を変え形成、折り曲げた付け根の部分へ剥がされた剥離紙幅に対応した該剥離紙が通る開口部３ａ．３ｂ．３ｃを設け、平板１上部には、ツマミを設け構成されている。【選択図】図１
2015151271.tif 000002
【特許請求の範囲】
【請求項１】
両面テープの剥離紙を簡単に剥がす剥離紙剥がし器であって、剥離紙剥がし器の形状に特に制約はないが、底辺が真平らな平板で、少なくとも平板の一部が下方に向け折り曲げ可能な形状を有し、当該、剥離紙剥がし器は三角形で底辺が真平らな、平板で、三角形の各先端をそれぞれ下方に直角、又は鋭角に折り曲げ、折り曲げた付け根の部分へ開口部を設け、更に折り曲げた平板の先端は平板の底辺より突出しており、三角形平板の各一端の突出量を変えた構造としてあることを特徴とした剥離紙剥がし器。
【請求項２】
当該、剥離紙剥がし器は、前記した平板の形状を三角形状とし三辺に各サイズの剥離紙剥がし構造を有したものに対し、底辺が真平らな長方形の平板で、全長の中心部から上方へ向け逆への字に曲げ、一方の先端は下方に直角、又は鋭角に折り曲げ、折り曲げた付け根の部分へ開口部を設け、更に折り曲げた平板の先端は平板の底辺より突出させてあり、もう一方は平板の先端よりやや中心に寄った位置に一辺だけを残し、開口部も同時に形成されるよう他の３辺をカットし、平板が底辺より突出するよう斜め下後方に折り曲げてある前記構造も構成出来る事を特徴とした請求項１記載の剥離紙剥がし器。
【請求項３】
上記、平板の先端よりやや中心に寄った部位に開口部を設け、当該開口部の近傍へ別途片刃状の部材を斜め下後方に向けて取り付け上下に稼働可能にしたことを特徴とした請求項１及び請求項２記載の剥離紙剥がし器。
【発明の詳細な説明】
【技術分野】
【０００１】本発明は、両面テープの剥離紙を簡単に剥がすことを目的とした機器に関するものである。
【背景技術】
【０００２】従来から両面テープの剥離紙を剥がすには、爪先やカッターの刃先を利用し、端の一部を剥がすしか方法がなかった。
【発明の概要】
【発明が解決しようとする課題】
【０００３】前記した両面テープの剥離紙を剥がすには爪先か、カッターの刃先を利用するしかなくどちらにしても簡単に剥がすことは意外と難しく、カッターを利用した場合などは十分に気をつけなければならなかった。
【課題を解決する手段】
【０００４】本発明は、当該剥離紙剥がし器を両面テープ上部に固定し、前方より後方へ移動することにより、各種形状の剥離紙を剥がし器の底面に設けた突起の先端を片刃状に形成し、更に鋭角に折り曲げる構造とすることで両面テープと剥離紙との間に片刃状の突起が入り込み、簡単に剥離紙だけがめくり上がるが、折り曲げた付け根に開口部を設けてある為に、めくりあがった剥離紙の端が当該開口部より外へと排出されるので、適度な長さの所で本器をどけて剥離紙を引き剥がすことで目的が達成できる。更に剥離紙剥がし器の形状に制約を設けず、テープ幅のサイズ違い、剥離紙の厚み違いにも対応できる構造としてもよい。
【発明の効果】
【０００５】当該、剥離紙剥がし器では片刃状突起を三角形の各頂点へ設けることにより、剥離紙剥がし器を剥離紙の上へ置き使用しても、三角形であるがゆえに、他の２点の突起が剥離紙の上へ位置する事がなく使用時に不都合をもたらすこともなく、老若男女を問わず、どんな両面テープの剥離紙も簡単に剥がすことが出来る。
【０００６】構成部品が少ないので故障がなく、安価な価格で提供が出来る。
【図面の簡単な説明】
【０００７】
【図１】本発明の剥離紙剥がし器請求項１記載の構成を示す正面図である。
【図２】本発明の剥離紙剥がし器請求項１記載の構成を示す右側面図である。
【図３】本発明の剥離紙剥がし器請求項１記載の正面図に示すＡＡ断面拡大図である。
【図４】本発明の剥離紙剥がし器請求項２記載の構成を示す正面図である。
【図５】本発明の剥離紙剥がし器請求項２記載の正面図に示すＢＢ断面図である。
【図６】本発明の剥離紙剥がし器請求項３記載の構成を示す部分断面拡大図である。
【図７】本発明の剥離紙剥がし器の実施例を示す部分断面拡大図である。
【図８】本発明の剥離紙剥がし器の実施例を示す部分断面拡大図である。
【発明を実施するための形態】
【０００８】本発明の剥離紙剥がし器は、当該剥離紙剥がし器を両面テープ上部に固定し、前方より後方へ移動することにより、各種形状の剥離紙を剥がし器の底面に設けた突起の先端を片刃状に形成し、更に鋭角に折り曲げる構造とすることで両面テープと剥離紙との間に片刃状の突起が入り込み、簡単に剥離紙だけがめくり上がるが、折り曲げた付け根に開口部を設けてある為に、めくりあがった剥離紙の端が当該開口部より外へと排出されるので、剥がし易い位置迄当該剥離紙を遊離させ、当該剥離紙を剥がすことを実現した。
【実施例】
【０００９】本発明の剥離紙剥がし器の実施例を代表例として図７及び図８によって説明する。
当該剥離紙剥がし器は、平板１に突起部２ａ開口部３ａツマミ４で構成され、素材６に貼付けた両面テープ接着面７及び剥離紙８の先端カット面より前方に平行に当該剥離紙剥がし器、突起部２ａが位置する様に平板１を固定させ、ツマミ４を後方に引き、剥離紙８と両面テープ接着面７が先端カット面から剥がし易い位置迄当該剥離紙８を遊離させ、当該剥離紙８を剥がす。
【符号の説明】
【００１０】１：平板
２ａ．２ｂ．２ｃ．２ｄ．２ｅ：突起部
３ａ．３ｂ．３ｃ．３ｄ．３ｅ．３ｆ：開口部
４：ツマミ
５：稼働可能な片刃状部材
６：素材
７：両面テープ接着面
８：剥離紙
【図１】
2015151271.tif 000003
【図２】
2015151271.tif 000004
【図３】
2015151271.tif 000005
【図４】
2015151271.tif 000006
【図５】
2015151271.tif 000007
【図６】
2015151271.tif 000008
【図７】
2015151271.tif 000009
【図８】
2015151271.tif 000010
(57)【要約】【課題】保持された食品容器内の食品の見栄えが良い食品多段積み梱包容器を提供すること。【解決手段】食品容器が載る底板１と、底板１の両側に折れ筋３を介して設けられ、食品容器を保持する複数の開口部４を有する側板２とから食品多段積み梱包容器１０を構成した。【選択図】図３
2015151138.tif 000002
【特許請求の範囲】
【請求項１】
食品容器が載る底板と、底板の両側に折れ筋を介して設けられ、食品容器を保持する複数の開口部を有する側板とを備えたことを特徴とする食品多段積み梱包容器。
【請求項２】
前記開口部の縁部に折れ筋を介して棚板が設けられ、食品容器を梱包するとき、互いに対向する棚板同士が連結可能に構成されていることを特徴とする請求項１記載の食品多段積み梱包容器。
【発明の詳細な説明】
【技術分野】
【０００１】
本発明は、食品多段積み梱包容器に関するものである。
【背景技術】
【０００２】
従来、食品容器を多段積みする支持具として下記特許文献１に記載のものがあった。
【先行技術文献】
【特許文献】
【０００３】
【特許文献１】実用新案登録第３０７６９９６号
【発明の概要】
【発明が解決しようとする課題】
【０００４】
上記「特許文献１」に記載のものは食品容器自体を積み重ねるものであり、中身が見え    ず、見栄えが悪かった。
【課題を解決するための手段】
【０００５】
上記の問題を解決するために第一発明は、食品容器が載る底板と底板の両側に折れ筋を介して設けられ、食品容器を保持する複数の開口部を有する側板とを備えたことを特徴とする。
【０００６】
また、第二発明は前記開口部の縁部に折れ筋を介して棚板が設けられ、食品容器を梱包するとき、互いに対向する棚板同士が連結可能であることを特徴とする。
【発明の効果】
【０００７】
第一発明、または第二発明によれば、側板に複数の開口部を設けていて食品容器自体を間隔を空けて多段積み出来るので、食品容器の中身を確認でき、見栄えも格段に向上させることが出来る。
【図面の簡単な説明】
【０００８】
【図１】本実施形態の食品多段積み梱包容器の展開状態の平面図である。
【図２】本実施形態の食品多段積み梱包容器の組み立て手順を示す（a）平面図          （b）側面図である。
【図３】本実施形態の食品多段積み梱包容器の組み立て状態を示す斜視図である。
【図４】本実施形態の食品多段積み梱包容器の使用状態を示す斜視図である。
【発明を実施するための形態】
【０００９】
図１〜図３に示すように、本実施形態の食品多段積み梱包容器１０は、食品容器が載る底板１と、底板１の両側に折れ筋３を介して設けられ、食品容器を保持する複数の開口部４を有する側板２とを備えている。また、側板２の開口部４の縁部には、折れ筋５を介して棚板６が設けられている。本実施形態では、図１に示すように、ダンボ−ル紙製のほぼ長方形の板材に直線状の折れ筋３・５及び切れ目７を設けることによって、ほぼ円形の底板１と、ほぼ長方形状の側板２と、半円形状の側板６とを形成している。
【００１０】
本実施形態の食品多段積み梱包容器１０を使用する際には、まず図２（a）(b)に示すように各折れ筋５を谷折りしながら、各棚板６を起こす。このことにより側板２に計４つの開口部４が出来る。次に、図３に示すように、折れ筋３を谷折りしながら両側の側板２を立ち上げる。このことにより側板２に計２つの開口部４が出来る。また、このとき対向する棚板６同士が重なり合って連結可能に構成されているので、棚板６同士を例えば粘着テープ等により接着固定する。あるいは対向する棚板６の一方にスリットを設け、他方にこのスリットに差し込み可能な差し込み片を設けて棚板６同士を差し込み固定してもよい。あるいは各棚板６に面ファスナを設け、棚板６同士を固定してもよい。
【００１１】
そして、図４に示すように、本実施形態の食品多段積み梱包容器１０の複数の開口部４に各食品容器Ｆを差し入れて保持する。
【００１２】
このように複数の食品容器Ｆを、独立した開口部４に互いに間隔を空けて保持できるので、食品容器Ｆの中身が見え、料理の見栄えが良くなり、食品容器Ｆ間の熱移動も防げ、料理の品質を保つことが出来る。さらに、本実施形態の食品多段積み梱包容器１０は棚板６同士が連結されているので、複数の食品容器Ｆを安定に保持することが出来る。
【００１３】
上記実施形態では、食品多段積み梱包容器１０をダンボール製板材で構成しているが、本発明はこれに限定されるものではなく、例えばその他の板紙や、合成樹脂製、金属製、木製、布製等の板材で構成してもよい。また、側板２の開口部４の数、形状等についても保持すべき食品容器Ｆの形状、大きさ等に応じて種々の設計変更が可能である。
【符号の説明】
【００１４】
１  底板
２  側板
３  折れ筋
４  開口部
５  折れ筋
６  棚板
７  切れ目
Ｆ  食品容器
【図１】
2015151138.tif 000003
【図２】
2015151138.tif 000004
【図３】
2015151138.tif 000005
【図４】
2015151138.tif 000006
(57)【要約】【課題】厚さを薄くして収容でき、取り扱いも便利な袋及びこれをロール状に巻いたロール体を提供する。【解決手段】袋１は、収容部２を３つ備えている。各収容部２は、開口部３と、開口部３を塞ぐ封止部４と、開口部３を塞いだ状態で封止部４を固定する接着剤５とを備えている。各収容部２は、開口部３が開口する向きに対して垂直な方向に配置され、隣り合う収容部２同士が、複数の穴を直線状に間隔をあけて設けたような切り離し部７を介して切り離し可能に接続されている。封止部４が開口部３を塞がない状態では、接着剤５は、剥離可能な剥離紙６で覆われている。【選択図】図１
2015151160.tif 000002
【特許請求の範囲】
【請求項１】
１つの開口部と、
該開口部を塞ぐ封止部と、
前記開口部を塞いだ状態で前記封止部を固定する固定部と
を有する複数の収容部を備え、
該複数の収容部は、前記開口部が開口する向きに対して垂直な方向に配置され、隣り合う前記収容部同士が切り離し可能に接続されている袋。
【請求項２】
請求項１の袋をロール状に巻いたロール体。
【発明の詳細な説明】
【技術分野】
【０００１】
この発明は袋及びこれをロール状に巻いたロール体に係り、特に、名刺のような複数の紙葉類を包装する袋に関する。
【背景技術】
【０００２】
名刺を包装する従来の容器は、特許文献１に記載のように、複数の名刺を一束にして収容する箱型の容器である。
【先行技術文献】
【特許文献】
【０００３】
【特許文献１】実用新案登録第３０７１６５７号公報
【発明の概要】
【発明が解決しようとする課題】
【０００４】
しかしながら、製造された名刺を発注者に送付する際、その厚さに応じて送料が高くなるので、特許文献１のような箱型の容器では、送料を節約することができない。また、このような箱型の容器では、名刺の枚数が減ってきても、箱の厚さは変わらないので、携帯用としては不便であった。
【０００５】
この発明はこのような問題点を解決するためになされたもので、厚さを薄くして収容でき、取り扱いも便利な袋及びこれをロール状に巻いたロール体を提供することを目的とする。
【課題を解決するための手段】
【０００６】
この発明に係る袋は、１つの開口部と、開口部を塞ぐ封止部と、開口部を塞いだ状態で封止部を固定する固定部とを有する複数の収容部を備え、複数の収容部は、開口部が開口する向きに対して垂直な方向に配置され、隣り合う収容部同士が切り離し可能に接続されている。
この袋をロール状に巻いてロール体としてもよい。
【発明の効果】
【０００７】
この発明によれば、複数の収容部を備えることにより、名刺のような紙葉類を分散して各収容部に収容できるので、袋全体の厚さを薄くできる。また、各収容部が切り離し可能であることにより、紙葉類を収納した収容部を１つだけ携帯することができるので、取り扱いが便利になる。
【図面の簡単な説明】
【０００８】
【図１】この発明の実施の形態に係る袋の斜視図である。
【図２】この実施の形態に係る袋に名刺を収容した状態の斜視図である。
【図３】この実施の形態に係る袋から１つの収容部を切り離した状態の斜視図である。
【図４】この実施の形態に係る袋の変形例の斜視図である。
【図５】この実施の形態に係る袋の別の変形例の平面図である。
【発明を実施するための形態】
【０００９】
以下、この発明の実施の形態を添付図面に基づいて説明する。
図１に示されるように、袋１は、名刺１０（図２参照）を収容する収容部２を３つ備えている。各収容部２は、開口部３と、開口部３を塞ぐ封止部４と、開口部３を塞いだ状態（図２参照）で封止部４を固定する固定部である接着剤５とを備えている。各収容部２は、開口部３が開口する向きに対して垂直な方向に配置され、隣り合う収容部２同士が、複数の穴を直線状に間隔をあけて設けたような切り離し部７を介して切り離し可能に接続されている。封止部４が開口部３を塞がない状態では、接着剤５は、剥離可能な剥離紙６で覆われている。袋１は、名刺１０を収容する袋であるので、全体が透明な樹脂から形成されている。
【００１０】
図２に示されるように、複数の名刺１０を各収容部２にほぼ同じ枚数ずつ収容する。剥離紙６（図１参照）を取り除き、各収容部２の各封止部４で各開口部３を塞ぎ、封止部４を接着剤５で固定する。袋１では、隣り合う封止部４は、切り離し部７を介して接続されているので、各封止部４によって各開口部３を同時に塞ぐことができる。袋１は、３つの収容部２を有しているので、同じ枚数の名刺を収容する場合、１つの収容空間しか有さない箱に比べて全体の厚さを１／３の薄さにすることができる。その結果、物品の厚さで規定される送料を節約することができる。
【００１１】
図３に示されるように、各収容部２に名刺１０を収容した状態で、各収容部２を１つずつ切り離すことができる。１つ１つの収容部２は、スーツのポケットやカバン等に容易に入れることができる寸法であるので、携帯性に優れ、取り扱いやすくなる。
【００１２】
このように、３つの収容部２を備えることにより、名刺１０を分散して各収容部２に収容できるので、袋１の全体の厚さを薄くできる。また、各収容部２が切り離し可能であることにより、名刺１０を収納した収容部２を１つだけ携帯することができるので、取り扱いが便利になる。
【００１３】
この実施の形態では、収容部２は３つであったが、３つに限定するものではない。図４に示されるように、２つの収容部２を有する袋１’であってもよく、さらに４つ以上の収容部を有するものであってもよい。また、各収容部２は、開口部３が開口する向きに対して垂直な方向に配置されているが、この形態に限定するものではない。例えば、図５に示されるように、図１で示される袋１を２つ用意し、互いの開口部３が反対側を向くようにして、切り離し部８を介して接続した袋１”であってもよい。この場合、切り離し部８で切り離すことにより、図１で示される袋１が２つ得られることになる。
【００１４】
この実施の形態では、袋１は、名刺を収容するものであったが、名刺用に限定するものではない。葉書やシール、カード等のような紙葉類を収容するものであってもよく、各収容部の大きさは収容するものに関連して適宜設計可能である。また、袋１の材質も透明な樹脂である必要はなく、不透明な樹脂や紙等であってもよい。
【００１５】
この実施の形態では、固定部は接着剤５であったが、これに限定するものではない。固定部として、ホックやボタン、面ファスナー等、公知の様々な手段を用いてもよい。また、切り離し部７は、複数の穴を直線状に間隔をあけて設けたものに限定するものではなく、ジッパーのように、取り外し及び取り付け可能なものであってもよい。
【００１６】
また、多数の収容部２を切り離し可能に接続したものを準備し、これをロール状に巻いたロール体を作成することができる。このロール体から、必要な数の収容部を確保できる個所で切り離すことにより、様々な用途に使用することができる。
【符号の説明】
【００１７】
１，１’，１”  袋、２  収容部、３  開口部、４  封止部、５  接着剤（固定部）。
【図１】
2015151160.tif 000003
【図２】
2015151160.tif 000004
【図３】
2015151160.tif 000005
【図４】
2015151160.tif 000006
【図５】
2015151160.tif 000007
(57)【要約】      （修正有）【課題】近年、世界的に多発しているツナミ被災に鑑み、その対応が取られていないエリアが大きく占めます。ツナミ災害に対する自助の活動を普及すべく、またツナミ被災に対して少しでも多くの命を救うべく、その一旦として、各人の手元に保管できる、ツナミ対応防災ライフジャケットを提供する。【解決手段】浮力性、防護性、連絡性、携帯性を兼ね備えたツナミ対応防災ライフジャケットであって、水に対する浮力の他、障害物からの防御を兼ね備えた形状、頭部と腰、股関節部を覆う形状とする。【選択図】なし【特許請求の範囲】
【請求項１】
各個人の身近に置けて、かつ個人が日常持ち歩きでき、素早い脱着と、身体の動きを損なわず、水に対して安定した浮力を確保でき浮遊物の接触から身を守る、ツナミ対応防災ライフジャケット
【請求項２】
頭部を頭巾上に覆い、胴体部と腰、股関節部を保護でき、また、水圧、水流により安易に身体から、外れないように、腰下部は履きこみ式にする、胴体部分の固定はジッパー式にして、その上に腹部と胸部に２連固定ストラップを補強する、また、頭部頭巾部の固定は、首に掛からないよう胸部ストラップに連結するようにする。ツナミ対応防災ライフジャケット
【請求項３】
ツナミ対応防災ライフジャケットの素材は、発泡ウレタンを用い、防水塩化ビニールで覆い縫製する、また、その色調は、オレンジ系として遠方からの視認性を高める、特に両肩部蛍光反射素材はその面積を大きくとる。
付属品として、呼笛、小型防水懐中電灯及び携帯電話等の収納ができる防水ポケットを内側に装着する。ツナミ対応防災ライフジャケット
【発明の詳細な説明】
【技術分野】
【０００１】  本発明は逃げ場の無い、ツナミ遭遇時に延命の可能性を高める事に関する。
【背景技術】
【０００２】  近年、世界的に多発しているツナミ被災に鑑み、ツナミ災害に対する自助の活動を普及すべくまたツナミ被災に対して少しでも多くの命を救うべく、その一旦として、各人の手元に保管できるツナミ対応防災ライフジャケットの考案に至るものです。
【発明の概要】
【発明が解決しようとする課題】
【０００３】  各個人の身近に置けて、かつ個人が日常持ち歩きでき、素早い脱着と身体の動きを損なわず、水に対して安定した浮力を確保でき、浮遊物の接触から身を守る、ツナミ対応防災ライフジャケット請求項  １。【０００４】  頭部を頭巾上に覆い、胴体部と腰、股関節部を保護でき、また、水圧、水流により安易に身体から、外れないように、腰下部は履きこみ式にする、胴体部分の固定はジッパー式にして、その上に腹部と胸部に２連、固定ストラップを補強する、また、頭部頭巾部の固定は、首に掛からないよう胸部ストラップに連結するようにする。
請求項  ２。【０００５】  ツナミ対応防災ライフジャケットの素材は、発泡ウレタンを用い、防水塩化ビニールで覆い縫製する、また、その色調は、オレンジ系として遠方からの視認性を高める、特に両肩部蛍光反射素材はその面積を大きくとる。
付属品として、呼笛、小型防水懐中電灯及び携帯電話等の収納ができる防水ポケットを内側に装着する。
請求項  ３。
【課題を解決するための手段】
【０００６】  従来型のライフジャケットと違い、水に対する浮力の他、障害物からの防御を兼ね備えた形状、頭部と腰、股関節部を覆う形状とする。
専用の収納ケースを併用して携帯性を高める。【０００７】  ４０ミリ前後の発泡ウレタンを基材として、浮力を高めるものとする。
発泡ウレタンは頭部を４構造、胴部を６構造、腰股間部を３構造として、身体への柔軟性を確保する。また、表面材は快摩耗性の高い防水シートとして、発泡ウレタンブロック別に縫製処理をする。
腰、股関節部は履きこみ式、胴体部は着込式としてジッパーと２連ストラップで固定する、頭部はかぶり式として胸部ストラップに２箇所固定する。
色調は視認性の高いオレンジ系とする。特に両肩部蛍光反射素材はその面積を大きくとる。
呼笛、小型防水懐中電灯及び携帯電話等の収納ができる防水ポケットを内側に装着する。【０００８】  本、ツナミ対応防災ライフジャケットはそのコストを下げるためその部材は従来品を加工して制作する。【０００９】  各種サイズを定め、広く普及するため、誰もが求めやすい価格帯とする。
【発明の効果】
【００１０】  逃げ切れない、ツナミ、水害に遭遇した時、本、ツナミ対応防災ライフジャケットを装着していれば、その浮力と防護性のもと、延命の可能性がかなり高まります。
また、呼笛、防水性小型懐中電灯、防水ポケット（携帯電話等を入れる）の装着により救助のための連絡が撮りやすくなりなす。
最悪の事態に至った場合、その浮力と、視認性の高い色調、大きな両肩部蛍光反射素材によりその捜索率は格段に高まります。
【発明を実施するための最良の形態】
【００１１】  本、ツナミ対応防災ライフジャケットのコストを下げるため、その部材は従来品を加工して制作する。
被災の可能性の高いエリアの関連所管庁、学校、会社等との連携をとる。